(57)【要約】【課題】ＩＣカード収納状態で車載器本体内部にＩＣカードを完全に収納でき、ＩＣカードの盗難を防止することができるＥＴＣ車載器を提供する。【解決手段】取付ステー２は、両側壁２２，２２にチルト長孔２ａ，２ａおよび軸孔２ｂ，２ｂが穿設されている。車載器本体１は、両側壁１１，１１に取付ステー２のチルト長孔２ａ，２ａに遊嵌されるチルトピン１ａ，１ａが植設されているとともに取付ステー２の軸孔２ｂ，２ｂに対応するスライド長孔１ｂ，１ｂが穿設されている。ＩＣカード保持プレート３は、車載器本体１の内部に配置され、車載器本体１のスライド長孔１ｂ，１ｂおよび取付ステー２の軸孔２ｂ，２ｂを貫通する軸３ａ，３ａが突設されている。【選択図】図３
2007249627.tif 000002
【特許請求の範囲】
【請求項１】
両側壁に長孔および軸孔が穿設された取付ステーと、
両側壁に前記取付ステーの長孔に遊嵌されるピンが突設されるとともに前記取付ステーの軸孔に対応する長孔が穿設された車載器本体と、
前記車載器本体の内部に配置され両側に前記車載器本体の長孔を遊嵌して前記取付ステーの軸孔に回転自在に嵌合される軸が突設されたＩＣカード保持プレートと
を有することを特徴とするＥＴＣ車載器。
【請求項２】
前記車載器本体が前記取付ステーに対して後方にスライドしたＩＣカード挿抜状態では、前記車載器本体のＩＣカード挿入口からＩＣカードが突出し、前記車載器本体が前記取付ステーに対して前方にスライドしたＩＣカード収納状態では、前記車載器本体のＩＣカード挿入口内にＩＣカードが隠蔽される請求項１記載のＥＴＣ車載器。
【請求項３】
前記取付ステーの長孔が斜め後上方に向けて傾斜されて穿設されており、前記車載器本体が前記取付ステーに対して後方にスライドしたＩＣカード挿抜状態では、前記車載器本体のＩＣカード挿入口が前記取付ステーの取付面からチルトアップする請求項１または２記載のＥＴＣ車載器。
【請求項４】
前記取付ステーの長孔の前端下部から後方に向けて切り欠かれた切欠き部と、前記ＩＣカード挿抜状態での前記ＩＣカード保持プレートの軸の位置と前記ＩＣカード収納状態での前記ＩＣカード保持プレートの軸の位置とでＩＣカードの上下可動量が生じるように前方から後方に向けて高くなる傾きを設けて穿設された前記車載器本体の長孔と、前記ＩＣカード保持プレートと前記車載器本体との間に介挿された弾性手段とからなる本体引っ掛け機構を備える請求項１ないし３のいずれかに１項に記載のＥＴＣ車載器。
【発明の詳細な説明】
【技術分野】
【０００１】
本発明はＥＴＣ（Electronic Toll Collection：自動料金収受システム）車載器に関し、特にＤＳＲＣ（Dedicated Short Range Communications）等の狭帯域通信方式を用いてＥＴＣ路側器と通信するＥＴＣ車載器に関する。
【背景技術】
【０００２】
ＥＴＣ車載器では、ＥＴＣカードと呼ばれるＩＣ（Integrated Circuit）カードを挿入して、料金の決済等が行われるようになっており、ＩＣカードの盗難防止等のセキュリティの観点から、ＩＣカードをできるだけ外部から見えないようにしたいとの要望がある。このため、従来のＥＴＣ車載器では、ＩＣカードの挿入時にできる限りＩＣカードが車載器本体内に隠れるような構造としていた。しかし、ＩＣカードの挿入時にユーザが指でＩＣカードをＥＴＣ車載器に押し込むようになっていたので、ＩＣカードの一部が車載器本体からはみ出す構造にせざるを得なかった。あるいは、ＥＴＣ車載器を車両の見えない部分に隠して設置するようにして、ＩＣカードの盗難防止等のセキュリティに対処していた。
【０００３】
一方、近年、ＥＴＣ車載器に対して薄型化を望む声が大きく、車載器本体の薄型化が進んでいる。しかし、車載器本体をあまり薄くしすぎると、取付ステーの取付面とＩＣカード挿入口とのクリアランスが狭くなり、ＩＣカードの挿抜操作性が悪化することになる。
【０００４】
ところで、車載器本体を保持する取付ステーにより、車載器本体の取付角度を可変にさせる方法が既に公知である（例えば、特許文献１参照）。しかし、この方法は、アンテナの放射方向を最適化するために車載器本体の取付角度を可変にするものであり、これによってＩＣカードの挿抜操作性を向上することは目的としておらず、また取付時に車載器本体の薄型化の実現は不可能であった。
【特許文献１】特開２００１−３２８４９１
【発明の開示】
【発明が解決しようとする課題】
【０００５】
従来のＥＴＣ車載器では、ＩＣカードの挿入時に指でＩＣカードをＥＴＣ車載器に押し込むようになっていたので、ＩＣカードの一部が車載器本体からはみ出す構造にせざるを得ず、ＩＣカードの盗難防止等のセキュリティ対策をとることが難しいという問題点があった。
【０００６】
また、ＥＴＣ車載器を車両の見えない部分に隠したりすることでＩＣカードの盗難等のセキュリティに対処した場合には、ＥＴＣ車載器から発する音声案内やブザー音が聞こえにくくなるという問題点があった。
【０００７】
一方、ＥＴＣ車載器の薄型化のために、車載器本体をあまり薄くしすぎると、取付ステーの取付面とＩＣカード挿入口とのクリアランスが狭くなり、ＩＣカードの挿抜操作性が悪化するので、車載器本体の薄型化とＩＣカードの挿抜操作性との両立を図ることが望まれていた。
【０００８】
本発明の第１の目的は、上述の点に鑑み、ＩＣカード収納状態で車載器本体内部にＩＣカードを完全に収納でき、ＩＣカードの盗難を防止することができるＥＴＣ車載器を提供することにある。
【０００９】
また、本発明の第２の目的は、取付ステーに対して車載器本体がＩＣカードの挿入方向にスライドする構造をもち、車載器本体を取付ステーに対して前後にスライドさせることにより、ＩＣカードを指で押し込むことなくＩＣカードの挿抜が可能になるＥＴＣ車載器を提供することにある。
【００１０】
さらに、本発明の第３の目的は、車載器本体を取付ステーに対して前後にスライドさせる際に車載器本体のＩＣカード挿入口がチルトアップおよびチルトダウンすることで、ＥＴＣ車載器の薄型化とＩＣカードの挿抜操作性とを両立するようにしたＥＴＣ車載器を提供することにある。
【００１１】
さらにまた、本発明の第４の目的は、ユーザがＩＣカードを取り出すために、車載器本体を取付ステーに対して後方へ押し込むという手間が不要になるようにしたＥＴＣ車載器を提供することにある。
【課題を解決するための手段及び発明の効果】
【００１２】
請求項１記載のＥＴＣ車載器は、両側壁に長孔および軸孔が穿設された取付ステーと、両側壁に前記取付ステーの長孔に遊嵌されるピンが突設されるとともに前記取付ステーの軸孔に対応する長孔が穿設された車載器本体と、車載器本体の内部に配置され前記車載器本体の長孔および前記取付ステーの軸孔を貫通する軸が突設されたＩＣカード保持プレートとを有することを特徴とする。請求項１記載のＥＴＣ車載器によれば、ＩＣカード保持プレートを取付ステーに固定し、車載器本体は取付ステーに対して前後にスライドする構造とすることで、ＩＣカード収納状態でＩＣカードを完全に車載器本体内部に収納でき、ＩＣカードの盗難防止の効果を得ることができる。
【００１３】
請求項２記載のＥＴＣ車載器は、請求項１記載のＥＴＣ車載器において、前記車載器本体が前記取付ステーに対して後方にスライドしたＩＣカード挿抜状態では、前記車載器本体のＩＣカード挿入口からＩＣカードが突出し、前記車載器本体が前記取付ステーに対して前方にスライドしたＩＣカード収納状態では、前記車載器本体のＩＣカード挿入口内にＩＣカードが隠蔽されることを特徴とする。請求項２記載のＥＴＣ車載器によれば、車載器本体を取付ステーに対して前後にスライドさせるだけで、ＩＣカード挿抜状態では車載器本体のＩＣカード挿入口からＩＣカードが突出し、ＩＣカード収納状態では車載器本体のＩＣカード挿入口内にＩＣカードが隠蔽されるので、ＩＣカードの挿抜操作性が向上する。
【００１４】
請求項３記載のＥＴＣ車載器は、請求項２記載のＥＴＣ車載器において、前記取付ステーの長孔が斜め後上方に向けて傾斜されて穿設されており、前記車載器本体が前記取付ステーに対して後方にスライドしたＩＣカード挿抜状態では、前記車載器本体のＩＣカード挿入口が前記取付ステーの取付面からチルトアップすることを特徴とする。請求項３記載のＥＴＣ車載器によれば、車載器本体のＩＣカード挿入口が取付ステーの取付面からチルトアップするので、取付ステーの取付面とＩＣカード挿入口とのクリアランスが大きくなり、ＥＴＣ車載器の薄型化とＩＣカードの挿抜操作性とを両立することができる。
【００１５】
請求項４記載のＥＴＣ車載器は、請求項１ないし３のいずれかに１項に記載のＥＴＣ車載器において、前記取付ステーの長孔の前端下部から後方に向けて切り欠かれた切欠き部と、前記ＩＣカード挿抜状態での前記ＩＣカード保持プレートの軸の位置と前記ＩＣカード収納状態での前記ＩＣカード保持プレートの軸の位置とでＩＣカードの上下可動量が生じるように前方から後方に向けて高くなる傾きを設けて穿設された前記車載器本体の長孔と、前記ＩＣカード保持プレートと前記車載器本体との間に介挿された弾性手段とからなる本体引っ掛け機構を備えることを特徴とする。請求項４記載のＥＴＣ車載器によれば、車載器本体の前部を少し持ち上げれば、車載器本体のピンの、取付ステーの長孔の切欠き部に対する引っ掛かりが外れて、弾性手段の弾性力により車載器本体が後方へ自動的にスライドされて、車載器本体のＩＣカード挿入口が取付ステーの取付面からチルトアップすると同時に、ＩＣカードの前端部がＩＣカード挿入口から突出するので、ユーザがＩＣカードを取り出すために、車載器本体を取付ステーに対して後方へ押し込むという手間が不要になるという利点がある。
【発明を実施するための最良の形態】
【００１６】
ＩＣカードの盗難を防止するという目的を、ＩＣカード保持プレートを取付ステーに固定し、車載器本体とは独立させることで、車載器本体を前後にスライドさせるとＩＣカードを押し込むことなくＩＣカードが挿抜される構造とすることにより達成した。
【００１７】
以下、本発明の実施例について図面を参照して説明する。
【実施例１】
【００１８】
図１および図２は、本発明の実施例１に係るＥＴＣ車載器１０のＩＣカード収納状態およびＩＣカード挿抜状態の斜視図である。また、図３は、ＥＴＣ車載器１０の分解斜視図である。
【００１９】
本実施例１に係るＥＴＣ車載器１０は、車載器本体１と、車載器本体１を取り付ける取付ステー２と、車載器本体１内部でＩＣカード４を保持するＩＣカード保持プレート３とから、その主要部が構成されている。
【００２０】
車載器本体１は、薄箱体状の筐体を有し、その左右両側壁１１，１１には、前部寄りにチルトピン１ａ，１ａが植設され、後部寄りにスライド長孔１ｂ，１ｂが穿設されている。また、車載器本体１の前面壁には、ＩＣカード４が挿抜されるＩＣカード挿入口１ｃが形成されている。なお、車載器本体１内には、その他、ＥＴＣ車載器１０の機能を果たすため回路基板等（図示せず）が配設されていることはいうまでもない。
【００２１】
取付ステー２は、上面が車載器本体１の取付面となる底面壁２１と、その左右両端縁から上方に向けて立ち上げられた左右両側壁２２，２２とからなる。左右両側壁２２，２２には、前部寄りから斜め後上方に向けて傾けられて穿設されたチルト長孔２ａ，２ａが形成されているとともに、後部寄りに軸孔２ｂ，２ｂが穿設されている。チルト長孔２ａ，２ａ内には、車載器本体１のチルトピン１ａ，１ａが遊嵌される。
【００２２】
取付ステー２の両側壁２２，２２に穿設されたチルト長孔２ａ，２ａは、車載器本体１の前面壁に設けられたＩＣカード挿入口１ｃ側から斜め後上方に向けて傾けられて穿設されているので、車載器本体１を取付ステー２に対して後方にスライドさせた場合、車載器本体１の前面壁に設けられたＩＣカード挿入口１ｃがチルトアップするようになっている。これにより、取付ステー２の取付面とＩＣカード挿入口１ｃとのクリアランスが大きくなり、ＥＴＣ車載器１０の薄型化とＩＣカード４の挿抜操作性とを両立することができる。
【００２３】
ＩＣカード保持プレート３は、後端縁の両側にプレート軸３ａ，３ａが突設された矩形板体でなり、プレート軸３ａ，３ａが取付ステー２に穿設された軸孔２ｂ，２ｂに回転自在に嵌合されることで、取付ステー２との相対的な位置関係は固定されている。一方、ＩＣカード保持プレート３は、プレート軸３ａ，３ａが車載器本体１の両側壁１１，１１に穿設されたスライド長孔１ｂ，１ｂに遊嵌され、車載器本体１の取付ステー２に対するスライドに伴って、車載器本体１の内部で前後にスライドする。
【００２４】
図４（ａ），（ｂ）は、ＩＣカード収納状態でのＥＴＣ車載器１０の透過右側面図，および一部破砕平面図である。
【００２５】
図５（ａ），（ｂ）は、ＩＣカード挿抜状態でのＥＴＣ車載器１０の透過右側面図，および一部破砕平面図である。
【００２６】
次に、このように構成された実施例１に係るＥＴＣ車載器１０の動作について、図１ないし図５を参照しながら説明する。
【００２７】
図４（ａ），（ｂ）に示すＩＣカード収納状態では、チルトピン１ａ，１ａがチルト長孔２ａ，２ａの前端側に位置するとともに、プレート軸３ａ，３ａがスライド長孔１ｂ，１ｂの後端側に位置していることにより、車載器本体１が取付ステー２の最前方位置までスライドしている。この位置では、ＩＣカード４は、ＩＣカード保持プレート３とともに車載器本体１内の最後方位置までスライドしている結果、車載器本体１内に完全に収納されて外部からは見えないように隠されている。よって、ＩＣカード４の盗難が有効に防止され、セキュリティが向上する。
【００２８】
また、ＩＣカード収納状態では、車載器本体１を前方にスライドすると同時に車載器本体１の前面壁に設けられたＩＣカード挿入口１ｃがチルトダウンしているので、ＥＴＣ車載器１の取付状態での厚さを極限まで薄くすることが可能となる。
【００２９】
一方、図５（ａ），（ｂ）に示すＩＣカード挿抜状態では、チルトピン１ａ，１ａがチルト長孔２ａ，２ａの後端側に位置するとともに、プレート軸３ａ，３ａがスライド長孔１ｂ，１ｂの前端側に位置していることにより、車載器本体１が取付ステー２の最後方位置までスライドしている。この位置では、ＩＣカード４は、ＩＣカード保持プレート３とともに車載器本体１内の最前方位置までスライドしている結果、前端部をＩＣカード挿入口１ｃから車載器本体１外に露呈している。このため、ＩＣカード４の挿抜が可能になる。
【００３０】
また、ＩＣカード挿抜状態では、車載器本体１が取付ステー２に対して後方にスライドすると同時に車載器本体１の前面壁に設けられたＩＣカード挿入口１ｃが取付ステー２に対してチルトアップするので、ＩＣカード４の下側のクリアランス、すなわち取付ステー２の取付面とＩＣカード挿入口１ｃとのクリアランスが確保され、ＥＴＣ車載器１０の薄型化とＩＣカード４の挿抜操作性とを両立することができる。
【００３１】
実施例１によれば、ＩＣカード保持プレート３が取付ステー２との位置関係を固定されているため、車載器本体１を前後にスライドさせた場合、ＩＣカード４を押し込むことなくＩＣカード４の挿抜が可能となる。このため、ＩＣカード４の挿抜時にＩＣカード４を車載器本体１に押し込む必要がないので、従来のＥＴＣ車載器に必ず必要となっていたＩＣカード挿入口の凹形状（例えば、Ｒ切欠き形状）が必要でなくなり、ＩＣカード４の収納時に車載器本体１の内部に完全にＩＣカード４を収納できるようになる。その結果、ＩＣカード４の盗難などに対する安全性が向上する。
【００３２】
また、実施例１によれば、従来のＥＴＣ車載器では、ＩＣカード４の挿抜操作性を考慮し、車載器本体１と取付ステー２との間にスペーサとなるものを挟み込んでいたが、ＩＣカード挿抜状態とＩＣカード収納状態との取付角度を変えることで、ＩＣカード収納状態ではそのクリアランスを考慮する必要がなくなり、極限まで薄型化したＥＴＣ車載器１０が実現可能となる。その際、取付ステー２のチルト長孔２ａ，２ａを前部寄りから斜め後上方に向けて傾けて穿設することで、ＩＣカード４の挿抜時にＩＣカード保持プレート３が上下に移動するため、ＩＣカード４のランディング機構を実現することができる。これにより、ＩＣカード４の挿抜時に、ＩＣカード側端子（図示せず）と車載器本体側接点（図示せず）とが擦れ合うことがなくなり、ＩＣカード４の表面のキズを防止することができる。
【００３３】
なお、取付ステー２の取付面にゴムやスポンジなどの弾力性のあるクッションを配置するようにすれば、車載器本体１を前方にスライドさせた時に取付ステー２と車載器本体１との間にクッションを挟みこむこととなり、車両へのＥＴＣ車載器１０の取付時の振動などにより、車載器本体１がガタツクことを防止できる。
【実施例２】
【００３４】
図６，図７および図８は、本発明の実施例２に係るＥＴＣ車載器１０のＩＣカード収納状態での前部側面図，後部側面図および一部破砕前部平面図である。実施例２に係るＥＴＣ車載器１０では、図１ないし図５に示した実施例１に係るＥＴＣ車載器１０に対して、本体引っ掛け機構を追加するようにしたものである。
【００３５】
本体引っ掛け機構は、取付ステー２の両側壁２２，２２のチルト長孔２ａ，２ａの前端下部から下後方に向けて追加して切り欠かれた切欠き部２ａ１，２ａ１（図６参照）と、ＩＣカード挿抜状態でのプレート軸３ａ，３ａの位置とＩＣカード収納状態でのプレート軸３ａ，３ａの位置とでＩＣカード４に上下可動量が生じるように前方から後方に向けて若干高くなる傾きを設けて穿設されたスライド長孔１ｂ，１ｂ（図７参照）と、ＩＣカード保持プレート３と車載器本体１との間に介挿された伸張性のスプリング５（図８参照）とから構成されている。
【００３６】
なお、その他の特に言及しない部材等は、実施例１に係るＥＴＣ車載器１０と同様に構成されて、同様に動作するので、それらの詳しい説明を割愛する。
【００３７】
このように構成された実施例２に係るＥＴＣ車載器１０は、ＩＣカード収納状態では車載器本体１のチルトピン１ａ，１ａをチルト長孔２ａ，２ａの切欠き部２ａ１，２ａ１に引っ掛けることにより、車載器本体１を取付ステー２に対して係止する。このＩＣカード収納状態から、車載器本体１の前部を少し持ち上げて切欠き部２ａ１，２ａ１でのチルトピン１ａ，１ａの引っ掛りを解除すると、スプリング５の伸張弾性力により車載器本体１が後方へ自動的にスライドされて、ＩＣカード挿抜状態に遷移する。このため、車載器本体１のＩＣカード挿入口１ｃがチルトアップすると同時に、ＩＣカード４の前端部がＩＣカード挿入口１ｃから突出する。
【００３８】
実施例２によれば、車載器本体１の前部を少し持ち上げれば、車載器本体１のチルトピン１ａ，１ａの、チルト長孔２ａ，２ａの切欠き部２ａ１，２ａ１に対する引っ掛かりが外れて、スプリング５の伸張弾性力により車載器本体１が後方へ自動的にスライドされて、車載器本体１のＩＣカード挿入口１ｃがチルトアップすると同時に、ＩＣカード４の前端部がＩＣカード挿入口１ｃから突出するので、ユーザがＩＣカード４を取り出すために、車載器本体１を取付ステー２に対して後方へ押し込むという手間が不要になる。
【００３９】
以上、本発明の実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【００４０】
【図１】本発明の実施例１に係るＥＴＣ車載器のＩＣカード収納状態の斜視図。
【図２】本実施例１に係るＥＴＣ車載器のＩＣカード挿抜状態の斜視図。
【図３】本実施例１に係るＥＴＣ車載器の分解斜視図。
【図４】本実施例１に係るＥＴＣ車載器のＩＣカード収納状態の透視図。
【図５】本実施例１に係るＥＴＣ車載器のＩＣカード挿抜状態の透視図。
【図６】本発明の実施例２に係るＥＴＣ車載器の本体引っ掛け機構を示す前部側面図。
【図７】本実施例２に係るＥＴＣ車載器におけるプレート軸の位置を説明する後部側面図。
【図８】本実施例２に係るＥＴＣ車載器におけるスプリングの位置を説明する一部破砕平面図。
【符号の説明】
【００４１】
１  車載器本体
１ａ，１ａ  チルトピン
１ｂ，１ｂ  スライド長孔
２  取付ステー
２ａ，２ｂ  チルト長孔
２ａ１，２ａ１  切欠部
２ｂ，２ｂ  軸孔
３  ＩＣカード保持プレート
３ａ，３ａ  プレート軸
４  ＩＣカード
５  スプリング
１０  ＥＴＣ車載器
【図１】
2007249627.tif 000003
【図２】
2007249627.tif 000004
【図３】
2007249627.tif 000005
【図４】
2007249627.tif 000006
【図５】
2007249627.tif 000007
【図６】
2007249627.tif 000008
【図７】
2007249627.tif 000009
【図８】
2007249627.tif 000010